【手続補正書】
【提出日】平成19年10月18日(2007.10.18)
【手続補正１】
【補正対象書類名】明細書
【補正対象項目名】特許請求の範囲
【補正方法】変更
【補正の内容】
【特許請求の範囲】
【請求項１】  組織を穿通して体液の標本の採取を促進するランセット（４２）と共に使用するための切開装置（１０）であって、
（ａ）  ハウジング（１６）と、
（ｂ）  ランセットの組織穿通部（５６）が前記ハウジング（１６）の外側にある距離だけ延びる伸長位置へ移動するストロークに沿ってランセット（４２）を支持するための、前記ハウジング（１６）に並進的に取り付けられたランセットキャリヤ（３８）とを備え、
（ｃ）  前記ランセットキャリヤ（３８）は制限部材（１４０）を備えることと、
（ｄ）  前記ハウジング（１６）に前記ハウジングの中心軸線にほぼ直交する回転軸線を中心として回転するように取り付けられ、かつ伸長位置の方向においてランセットキャリヤのストロークを制限するために前記制限部材と接触させるための、選択的に移動可能な止め部を形成する偏心接触面を有するサムホイールとを特徴とする切開装置。
【請求項２】  前記伸長位置において、ランセットの組織穿通部（５６）が前記ハウジング（１６）の外側に延びる距離を示すための目印（１５２）を前記サムホイール（１４４）上にさらに備える請求項１に記載の切開装置。
【請求項３】  複数の別個の位置によって、前記ハウジングに関する前記サムホイール（１４４）の回転を漸増するための割出し手段をさらに備える請求項１または２に記載の切開装置。
【請求項４】  前記割出し手段が、前記ハウジングに形成されたアーチ状に連なる複数のもどり止（１５６）の列と、サムホイール上に形成された少なくとも１つの協働突起（１５８）とを備える請求項３に記載の切開装置。
【請求項５】  圧力付与部をさらに備え、前記圧力付与部は、それを介して開口（１７４）を画定する前記ハウジングの前方パネル（１７０）と、前記開口（１７４）の少なくとも一部分を取り囲む隆起リップ（１７６）とを有する請求項１〜４のいずれかに記載の切開装置。
【請求項６】  前記ハウジング（１６）が解放可能なキャップ（１７２）を備え、かつ前記キャップ（１７２）の少なくとも一部分が透明である請求項１〜５のいずれかに記載の切開装置。
【請求項７】  前記ランセットキャリヤ（３８）が、第１把持顎部（４４）と、第１把持顎部（４４）に対向して位置する第２把持顎部（４６）と、ランセットを受容および解放するための開放位置からランセットを把持するための閉位置に向かって第１把持顎部
および第２把持顎部を偏倚させるための偏倚手段と、第１把持顎部（４４）から延びる第１把持アーム（５０）と、第２把持顎部（４６）から延びる第２把持アーム（５２）とを備える請求項１〜６のいずれかに記載の切開装置。
【請求項８】  組織を穿通して体液の標本の採取を促進するランセット（４２）と共に使用するための切開装置（１０）であって、前記切開装置は、
（ａ）  ハウジング（１６）と、
（ｂ）  解放可能にランセット（４２）を束縛するために前記ハウジングに取り付けられるランセットキャリヤ（３８）とを備え、前記ランセットキャリヤ（３８）は、
（ｉ）  第１把持顎部（４４）と、
（ｉｉ）  第１把持顎部（４４）に対向して位置する第２把持顎部であって、前記第１把持顎部と該第２把持顎部との間にランセット受容チャネルを画定する第２把持顎部（４６）と、前記第１把持顎部および第２把持顎部は、ランセットを把持するための閉位置とランセットを受容および解放するための開放位置との間で移動可能であることと、
（ｉｉｉ）  第１把持顎部および第２把持顎部を前記閉位置に向かって偏倚させるための偏倚手段と、
（ｉｖ）  第１把持顎部（４４）に連結された第１解放アーム（５０）と、第２把持顎部（４６）に連結された第２解放アーム（５２）と、よって、第１解放アームおよび第２解放アームへ力を付与することにより第１把持顎部および第２把持顎部が開放位置の方向へ移動させられることとを備える切開装置。
【請求項９】  組織を穿通して体液の標本の採取を促進するランセット（４２）と共に使用するための切開装置（１０）であって、
（ａ）  前方端（２０）と前記前方端（２０）に隣接した透明部分とを有するハウジング（１６）と、
（ｂ）  前記ハウジング内の後退位置と、ランセットの組織穿通部（５６）が前記ハウジングの前方端を越えてある距離だけ延びる伸長位置との間でランセット（４２）を支持するための、前記ハウジング（１６）に取り付けられたランセットキャリヤ（３８）と、
（ｃ）  前記ハウジング（１６）の前方端（２０）に隣接した圧力付与部とを備える切開装置。
【請求項１０】  前記透明部分が解放可能なキャップ（１７２）を含む請求項９に記載の切開装置。
【請求項１１】  圧力付与部が、それを介する開口（１７４）を画定する前記ハウジングの前方パネル（１７０）と、前記開口（１７４）の少なくとも一部を取り囲む隆起リップ（１７６）とを備え、前記透明部分を介して前記開口（１７４）が見える請求項９又は１０に記載の切開装置。
【請求項１２】  組織を穿通して体液の標本の採取を促進するランセット（４２）と共に使用するための切開装置（１０）であって、前記切開装置（１０）は、全長（Ｌ）、全幅（Ｗ）、および全体厚（ｔ）を有するハウジング（１６）を備え、前記全長（Ｌ）は、全幅（Ｗ）の約４倍以下であり、前記全幅（Ｗ）は、前記全体厚（ｔ）の少なくとも１．５倍であり、前記ハウジング（１６）は、直交する第１対称面および第２対称面（３２，３４）に関してほぼ対称であり、前記ハウジングの前面に沿ってほぼ中央に発射ボタン（１２０）が配置されている切開装置。
【請求項１３】  ランセット（４２）を解放可能に束縛するための束縛手段（４０）と、ランセットの組織穿通部（５６）が前記ハウジングの前方端（２０）を越えてある距離だけ延びる伸長位置に向けてランセットを駆動するための駆動手段とをさらに備える請求項１２に記載の切開装置。
【請求項１４】  束縛手段を後退位置から引き上げ位置へ移動させるための引き上げ機構と、束縛手段を引き上げ位置から解放して、ランセットを伸長位置に向けて駆動するための発射機構とをさらに備える請求項１２又は１３に記載の切開装置。
【請求項１５】  伸長位置において、ランセットの組織穿通部（５６）が前記ハウジングの前方端（２０）を越えて延びる距離を制御するためのストローク制御手段をさらに
備える請求項１３に記載の切開装置。
【請求項１６】  ストローク制御手段が選択的に移動可能な止め部（１４２）および制限部材（１４０）を備え、それにより、前記止め部（１４２）と制限部材（１４０）との間の接触が伸長位置を規定する請求項１５に記載の切開装置。
【請求項１７】  それを貫通した開口（１７４）を画定する前方パネル（１７０）を備え、さらに前記前方パネル（１７０）から突出し、かつ前記開口（１７４）の少なくとも一部分を取り囲む隆起リップ（１７６）を備える請求項１２〜１６のいずれかに記載の切開装置。
【請求項１８】  前記開口（１７４）は直径約６ｍｍである請求項１７に記載の切開装置。
【請求項１９】  前記開口（１７４）は直径約４ｍｍ〜約８ｍｍである請求項１７に記載の切開装置。
【請求項２０】  隆起リップ（１７６）は前記前方パネル（１７０）を越えて約２ｍｍの距離だけ突出している請求項１７〜１９のいずれかに記載の切開装置。
【請求項２１】  隆起リップ（１７６）が、約２ｍｍのランドを有する環状リングからなる請求項１７〜２０のいずれかに記載の切開装置。
【請求項２２】  前記ハウジング（１６）が透明部分を備える請求項１２〜２１のいずれかに記載の切開装置。
【請求項２３】  体液の標本を採取する方法であって、
（ａ）  切開装置（１０）を使用して、標本採取部位において体組織に切開部を形成することと、
（ｂ）  切開装置（１０）の一部分によって、標本採取部位に圧縮的な圧力を加えることと
（ｃ）切開装置（１０）の透明部分を介して標本採取部位を観察することとを含む方法。
【請求項２４】  切開部を形成する前に、標本採取部位に圧縮的な圧力を加える工程をさらに含む請求項２３に記載の方法。